(57)【要約】【課題】ユーザがバナー等の第２の画像を選択しようとしてアイコン等の処理選択部を選択してしまうことを抑制できる処理装置等を提供できる。【解決手段】予め定められた処理に関連付けられ選択されることで処理を行なうアイコンを表示する操作パネルにおける選択を受け付ける受付手段１１０と、選択が受け付けられたときに処理を実行する実行手段１２０と、操作パネルにおける画像の表示を制御する画像制御手段１３０と、を備え、画像制御手段１３０は、アイコンを含む第１の画像を表示するときに、アイコン上の少なくとも一部にバナー等の第２の画像が重なる重畳状態の場合に、アイコンおよび第２の画像の少なくとも一方の表示位置を変更する処理装置。【選択図】図４
2018045421.tif 000002
【特許請求の範囲】
【請求項１】
予め定められた処理に関連付けられ選択されることで当該処理を行なう処理選択部を表示する表示手段における当該選択を受け付ける受付手段と、
前記選択が受け付けられたときに前記処理を実行する実行手段と、
前記表示手段における画像の表示を制御する画像制御手段と、
を備え、
前記画像制御手段は、前記処理選択部を含む第１の画像を表示するときに、当該処理選択部上の一部に第２の画像が重なる重畳状態の場合に、当該処理選択部および当該第２の画像の少なくとも一方の表示位置を変更する処理装置。
【請求項２】
前記画像制御手段は、前記第２の画像と重ならない位置まで前記処理選択部をスクロールさせることで、当該処理選択部の表示位置を変更することを特徴とする請求項１に記載の処理装置。
【請求項３】
前記画像制御手段は、前記処理選択部を覆うように前記第２の画像を表示させることで、当該第２の画像の表示位置を変更することを特徴とする請求項１に記載の処理装置。
【請求項４】
前記画像制御手段は、前記第２の画像を前記表示手段の表示範囲の全体に表示させることを特徴とする請求項３に記載の処理装置。
【請求項５】
前記画像制御手段は、前記処理選択部の中でユーザが処理に対し希望する設定を予め行なったときに作成されるものの一部に前記第２の画像が重なる場合に、当該処理選択部および当該第２の画像の少なくとも一方の表示位置を変更することを特徴とする請求項１乃至４の何れか１項に記載の処理装置。
【請求項６】
記録媒体に画像を形成する画像形成部と、
予め定められた処理に関連付けられ選択されることで当該処理を行なう処理選択部を表示する表示手段と、
自装置の制御を行なう制御部と、
を備え、
前記制御部は、
前記選択を受け付ける受付手段と、
前記選択が受け付けられたときに、前記処理を実行する実行手段と、
前記表示手段における画像の表示を制御する画像制御手段と、
を備え、
前記画像制御手段は、前記処理選択部を含む第１の画像を表示するときに、当該処理選択部上の一部に第２の画像が重なる重畳状態の場合に、当該処理選択部および当該第２の画像の少なくとも一方の表示位置を変更する画像形成装置。
【発明の詳細な説明】
【技術分野】
【０００１】
本発明は、処理装置、画像形成装置に関する。
【背景技術】
【０００２】
処理装置の表示手段において、自装置で行なうことができる処理の一覧を画像として表示するときがある。そしてユーザはこの一覧の中から実行したい処理を選択する方法が一般的に用いられている。この一覧は、例えば、予め定められた処理に関連付けられたアイコン等の処理選択部を並べることにより構成され、ユーザは、例えば、アイコン等をタッチすることで実行したい処理の選択を行なう。
【０００３】
特許文献１には、通常画面において項目が配置されていた領域には、表示更新後の割込中画面において、別の項目を配置しない多機能周辺装置であり、例えば、通常画面において、印刷実行の処理が関連づけられた項目が配置されていた既定表示領域には、表示更新後の割込中画面において、いかなる項目も配置しないものが開示されている。
【先行技術文献】
【特許文献】
【０００４】
【特許文献１】特開２０１１−１８６６０５号公報
【発明の概要】
【発明が解決しようとする課題】
【０００５】
自装置で行なうことができる処理の一覧をアイコン等の処理選択部を含む画像（第１の画像）として表示するときに、この画像のみならず、ユーザに注意喚起を行なう等の目的で、他の画像（第２の画像）を重ねて表示することがある。そしてこのときユーザは、他の画像（第２の画像）を選択しようとして、アイコン等の処理選択部を選択してしまうときがある。この場合、選択された処理選択部に関連付けられた処理が開始されてしまうときがあり、処理装置は、ユーザの意図しない動作を行なうことになる。
本発明は、ユーザが第２の画像を選択しようとして処理選択部を選択してしまうことを抑制できる処理装置等を提供することを目的とする。
【課題を解決するための手段】
【０００６】
請求項１に記載の発明は、予め定められた処理に関連付けられ選択されることで当該処理を行なう処理選択部を表示する表示手段における当該選択を受け付ける受付手段と、前記選択が受け付けられたときに前記処理を実行する実行手段と、前記表示手段における画像の表示を制御する画像制御手段と、を備え、前記画像制御手段は、前記処理選択部を含む第１の画像を表示するときに、当該処理選択部上の一部に第２の画像が重なる重畳状態の場合に、当該処理選択部および当該第２の画像の少なくとも一方の表示位置を変更する処理装置である。
請求項２に記載の発明は、前記画像制御手段は、前記第２の画像と重ならない位置まで前記処理選択部をスクロールさせることで、当該処理選択部の表示位置を変更することを特徴とする請求項１に記載の処理装置である。
請求項３に記載の発明は、前記画像制御手段は、前記処理選択部を覆うように前記第２の画像を表示させることで、当該第２の画像の表示位置を変更することを特徴とする請求項１に記載の処理装置である。
請求項４に記載の発明は、前記画像制御手段は、前記第２の画像を前記表示手段の表示範囲の全体に表示させることを特徴とする請求項３に記載の処理装置である。
請求項５に記載の発明は、前記画像制御手段は、前記処理選択部の中でユーザが処理に対し希望する設定を予め行なったときに作成されるものの一部に前記第２の画像が重なる場合に、当該処理選択部および当該第２の画像の少なくとも一方の表示位置を変更することを特徴とする請求項１乃至４の何れか１項に記載の処理装置である。
請求項６に記載の発明は、記録媒体に画像を形成する画像形成部と、予め定められた処理に関連付けられ選択されることで当該処理を行なう処理選択部を表示する表示手段と、自装置の制御を行なう制御部と、を備え、前記制御部は、前記選択を受け付ける受付手段と、前記選択が受け付けられたときに、前記処理を実行する実行手段と、前記表示手段における画像の表示を制御する画像制御手段と、を備え、前記画像制御手段は、前記処理選択部を含む第１の画像を表示するときに、当該処理選択部上の一部に第２の画像が重なる重畳状態の場合に、当該処理選択部および当該第２の画像の少なくとも一方の表示位置を変更する画像形成装置である。
【発明の効果】
【０００７】
請求項１の発明によれば、ユーザが第２の画像を選択しようとして処理選択部を選択してしまうことを抑制できる処理装置を提供できる。
請求項２の発明によれば、第２の画像と処理選択部とが重畳状態となるときは、処理選択部の方をスクロールさせることで、重畳状態を解消することができる。
請求項３の発明によれば、第２の画像と処理選択部とが重畳状態となるときは、第２の画像の表示位置を変更することで、処理選択部を選択できないようにすることができる。
請求項４の発明によれば、全てのアイコンＩが第２の画像の下に隠れた状態となり、ユーザは、処理選択部を選択することができなくなる。
請求項５の発明によれば、特にユーザの意図しない動作を行ないやすい処理選択部に対して、対策を講じることができる。
請求項６の発明によれば、ユーザの意図しない動作を行なうことを抑制できる画像形成装置を提供できる。
【図面の簡単な説明】
【０００８】
【図１】画像形成装置のハードウェア構成例を示した図である。
【図２】操作パネルに表示される画像の一例を示した図である。
【図３】（ａ）〜（ｂ）は、図２で示すホーム画面（第１の画像）上にバナー（第２の画像）の表示を行なったときの一例を示した図である。
【図４】制御部の機能構成例を示したブロック図である。
【図５】第１の実施形態における制御部の動作について説明したフローチャートである。
【図６】（ａ）〜（ｂ）は、アイコンをスクロールさせる前と後とを比較した図である。
【図７】第２の実施形態における制御部の動作について説明したフローチャートである。
【図８】（ａ）〜（ｂ）は、図７のステップ２１１で、通常の表示位置にバナーを表示した場合と、図７のステップ２１０で、バナーを操作パネルの表示範囲の全体に表示させた場合とを比較した図である。
【発明を実施するための形態】
【０００９】
＜画像形成装置の全体構成の説明＞
図１は、画像形成装置のハードウェア構成例を示した図である。
画像形成装置１０は、紙等の記録媒体に画像を形成し、印刷媒体として出力する装置である。画像形成装置１０は、プリンタ機能を備えるが、これに加えて例えば、スキャナ機能、ファクシミリ機能等の他の画像処理機能を備えている。
【００１０】
図示するように、画像形成装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読み取り部１６と、画像形成部１７と、通信Ｉ／Ｆ１８とを備える。そしてこれらがバスＢを介して必要なデータのやりとりを行なう。
【００１１】
ＣＰＵ１１は、ＲＯＭ１３等に記憶された各種プログラムをＲＡＭ１２にロードして実行することにより、後述する各機能を実現する。
【００１２】
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読み取り部１６が読み取った画像情報や画像形成部１７における画像形成にて用いる画像情報等を記憶する例えば磁気ディスク装置である。
操作パネル１５は、各種情報の表示やユーザからの操作入力の受付を行なう例えばタッチパネルである。
【００１３】
画像読み取り部１６は、原稿に記録された画像を読み取る。ここで、画像読み取り部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１４】
画像形成部１７は、記録媒体に画像を形成する印刷機構の一例である。ここで、画像形成部１７は、例えばプリンタであり、感光体に付着させたトナーを用紙等の記録媒体に転写して像を形成する電子写真方式や、インクを記録媒体上に吐出して像を形成するインクジェット方式のものを用いるとよい。
通信Ｉ／Ｆ１８は、ネットワークを介して他の装置との間で各種情報の送受信を行なう。
【００１５】
また本実施の形態では、ＣＰＵ１１、ＲＡＭ１２、ＲＯＭ１３、およびＨＤＤ１４で、自装置である画像形成装置１０の各機構部の制御を行なう制御部（処理装置）１００を構成する。
【００１６】
＜画像形成装置１０の動作の説明＞
このような画像形成装置１０を使用して、ユーザは、例えば、原稿のコピーを行なうことができる。即ち、画像読み取り部１６によって読み取られた原稿の画像情報を基に、画像形成部１７により画像を記録媒体上に形成することで原稿をコピーすることができる。またユーザは、画像形成装置１０に接続されたＬＡＮ（Local Area Network）等のネットワーク（図示せず）および通信Ｉ／Ｆ１８を介してＰＣ（Personal Computer）等の外部装置（図示せず）から印刷のジョブを画像形成装置１０に送信することでプリントを行なうことができる。即ち、印刷のジョブに含まれる画像情報を基に、画像形成部１７により画像を記録媒体上に形成することでプリントすることができる。さらにユーザは、ファクシミリの送受信を行なうことができる。即ち、画像読み取り部１６によって読み取られた原稿の画像情報をネットワークおよび通信Ｉ／Ｆ１８を介して送信できる。あるいはユーザは、原稿のスキャンを行なうことができる。即ち、画像読み取り部１６によって読み取られた原稿の画像情報をネットワークおよび通信Ｉ／Ｆ１８を介して外部装置に保存できる。
【００１７】
＜操作パネル１５の説明＞
次に操作パネル１５についてさらに詳しく説明を行なう。
操作パネル１５は、上述したように例えばタッチパネルである。操作パネル１５をタッチパネルにすることで、画像形成装置１０の画像形成条件などの各種情報はタッチパネルに表示される。そしてユーザは、タッチパネルをタッチすることで画像形成条件などの入力操作を行なう。
【００１８】
また操作パネル１５は、以下のように動作する。
図２は、操作パネル１５に表示される画像の一例を示した図である。
この場合、操作パネル１５には、画像形成装置１０が備える機能を実行するためのアイコンＩの一覧が画像として表示されている。この画像は、いわゆるホーム画面である。ホーム画面は、アイコンＩを含む第１の画像の一例である。またこのとき表示されているアイコンＩは、予め定められた処理に関連付けられ、選択されることで処理を行なう処理選択部の一例である。
【００１９】
図示する例では、操作パネル１５は、コピー、ファクス／インターネットファクス、スキャナ（メール送信）、ジョブフロー、どこでもプリント、らくらくファクス、スキャナ（ＰＣ保存）、スキャナ（ボックス保存）、ワンタッチコピー、ボックス操作、ジョブメモリ、デジカメプリントのそれぞれの機能を表すアイコンＩを表示し、これを一覧としている。
【００２０】
そしてユーザは、目的の機能を利用するためには、何れかのアイコンを選択する選択操作を行なう。
選択操作は、例えば、ユーザがアイコンＩをタッチする操作である。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、図示しないスタートボタン等を押下すると、実際のコピー動作が開始される。
即ち、操作パネル１５は、アイコン（処理選択部）Ｉを表示する表示手段として機能する。
【００２１】
また本実施の形態では、このうち「ワンタッチコピー」のアイコンＩは、ワンタッチアプリと言われるものとなっている。ワンタッチアプリは、ユーザが処理に対し希望する設定を予め行なったときに作成されるものである。つまりワンタッチアプリでは、ユーザが処理に対して希望する設定が既になされている。例えば、上述したコピーを行なう枚数、使用する用紙の選択等が既に設定されている。そのためユーザは「ワンタッチコピー」のアイコンＩをタッチすることで、迅速にこの処理を実行することができる。ワンタッチアプリを用意しておくことで、ユーザは、毎回複雑な設定を行う手間を省くことができる。なおワンタッチアプリには、アイコンＩをタッチすることで直ちにジョブが起動するもの（ダイレクト実行）と、確認画面を表示してユーザがスタートボタン等を押下することで処理が起動するもの（確認あり実行）がある。即ち、ユーザがワンタッチアプリのアイコンＩを選択したときには、関連付けられた処理が直ちに開始される可能性がある。
【００２２】
また操作パネル１５において、ユーザに対し、注意喚起を行なう場合、警告を行なう場合、案内を行なう場合など、このホーム画面（第１の画像）上に他の画像を重ねて表示する場合がある。この他の画像は、第２の画像の一例であり、例えば、バナーである。
【００２３】
図３（ａ）〜（ｂ）は、図２で示すホーム画面（第１の画像）上にバナー（第２の画像）の表示を行なったときの一例を示した図である。
図３（ａ）の例では、ホーム画面（第１の画像）の下端にバナーＶ（第２の画像）の表示がされた例を示している。なお本実施の形態では、ホーム画面等の第１の画像を表示するときに、アイコンＩ上の少なくとも一部にバナーＶ等の第２の画像が重なる状態を、以後、「重畳状態」と言うことがある。
【００２４】
また本実施の形態では、ユーザへの警告として、「トナーの残量が少なくなっています。」のバナーＶが表示されている。そしてバナーＶは、いったんホーム画面の下端に表示された後、予め定められた時間の経過後に、アニメーション動作を行ないつつ非表示になる。またバナーＶは、ユーザがバナーＶの内容を確認し、バナーＶをタッチするなどの確認操作を行なったときにも同様にアニメーション動作を行ないつつ非表示になる。
このときバナーＶは、図３（ａ）のようにホーム画面の下端に表示された後、ホーム画面の下方に向けスライドしつつ移動し、ホーム画面外に隠れるようなアニメーション動作を行なうことで非表示になる。図３（ｂ）は、アニメーション動作を行なっている最中の状態を示している。そして完全にホーム画面外に隠れると、図２の通常のホーム画面に戻る。
【００２５】
そして本実施の形態では、図３（ａ）のようにホーム画面の下端にバナーＶの表示を行なうと、ホーム画面に表示されているアイコンＩのうち最も下の列に配列するアイコンＩの一部が隠される。そしてアニメーション動作を行なっているときも同様に最も下の列に配列するアイコンＩの一部が隠されるときがある。
【００２６】
しかしながらこのようにアイコンＩの一部がバナーＶの表示により隠れた状態でも、上述したアイコンＩに対する選択操作は、従来は可能であった。そのためユーザがバナーＶに対し確認操作を行なうためにバナーＶをタッチしたときに、アニメーション動作によりそのタッチした場所にバナーＶが既に表示されていないときがある。そしてその箇所にアイコンＩが表示されていた場合、アイコンＩをタッチすることで選択操作をしたことになる。その結果、そのアイコンＩに関連付けられた処理が開始される。特にワンタッチアプリのアイコンＩに対して選択操作を行なったときには、上述したようにダイレクト動作によりその処理が直ちに実行されてしまう場合がある。即ち、画像形成装置１０は、ユーザの意図しない動作を行なう。
【００２７】
そこで本実施の形態では、バナーＶがアイコンＩに重なる場合に、アイコンＩおよびバナーＶの少なくとも一方の表示位置を移動することで上記問題の抑制を図っている。
以下これを実現する制御部１００の構成について説明を行なう。
【００２８】
＜制御部１００の説明＞
図４は、制御部１００の機能構成例を示したブロック図である。なお図４では、制御部１００が有する種々の機能のうち本実施の形態に関係するものを選択して図示している。
図示するように本実施の形態の制御部１００は、受付手段１１０と、実行手段１２０と、画像制御手段１３０と、出力手段１４０とを備える。
【００２９】
受付手段１１０は、操作パネル１５からアイコンＩの選択を受け付ける。このとき受付手段１１０は、操作パネル１５からユーザの指等が操作パネル１５の何れの位置に接触しているかの座標情報を取得する。そして受付手段１１０は、この座標情報から何れのアイコンＩが選択されているかを検知する。また受付手段１１０は、ユーザの操作によりユーザの選択の受け付けをするか否かを決定する。即ち、受付手段１１０が取得した座標情報から、ユーザの操作がタッチ操作であるか、長押し操作であるかなどを判別し、このユーザの操作によりユーザの選択の受け付けをするか否かを決定する。
【００３０】
実行手段１２０は、受付手段１１０によりアイコンＩの選択が受け付けられたときに、このアイコンＩに関連付けられた処理を実行する。実際には、画像形成装置３０の各機構部に対し制御信号を出力し、各機構部を制御することでユーザの希望する処理を実現する。
例えば、スキャン処理の場合は、実行手段１２０は、画像読み取り部１６を制御し原稿の画像を読み取る読み取り処理を行なう。さらに実行手段１２０は、画像処理を行ない、画像処理後の画像情報を後述する出力手段１４０から出力する。また例えば、コピー処理の場合は、実行手段１２０は、画像読み取り部１６を制御し原稿の画像を読み取る読み取り処理を行なう。さらに実行手段１２０は、画像処理を行ない、画像処理後の画像情報を画像形成部１７に送り、画像形成部１７を制御して印刷を行なう。
【００３１】
画像制御手段１３０は、操作パネル１５における画像の表示を制御する。即ち、画像制御手段１３０は、図２や図３で説明したような画像の画像情報を作成する。そして後述する出力手段１４０から画像情報を出力する。これにより操作パネル１５では、図２や図３で説明したような画像が表示される。
また画像制御手段１３０は、アイコンＩを含む第１の画像を表示するときに、アイコンＩ上の少なくとも一部にバナー等の第２の画像が重なる重畳状態の場合に、アイコンＩおよびバナー等の第２の画像の少なくとも一方の表示位置を変更する。この事項の詳しい説明は、後述する。
【００３２】
出力手段１４０は、画像形成装置３０の各機構部に対し制御信号を出力する。また出力手段１４０は、画像情報を出力する必要があるときに、画像情報を出力する。
【００３３】
次に制御部１００の動作についてさらに詳しく説明を行なう。ここでは、制御部１００の動作を、第１の実施形態〜第２の実施形態に分けて説明を行なう。
【００３４】
［第１の実施形態］
第１の実施形態では、画像制御手段１３０は、バナー等の第２の画像と重ならない位置までアイコンＩをスクロールさせることで、アイコンＩの表示位置を変更する。
【００３５】
図５は、第１の実施形態における制御部１００の動作について説明したフローチャートである。
まず画像制御手段１３０が、アイコンＩを含むホーム画面（第１の画像）を操作パネル１５に表示する（ステップ１０１）。
【００３６】
次に受付手段１１０は、ユーザがアイコンＩをタッチしたか否かを判断する（ステップ１０２）。
【００３７】
そしてユーザがアイコンＩをタッチした場合（ステップ１０２でＹｅｓ）、実行手段１２０が、選択されたアイコンＩに関連付けられた処理を実行する（ステップ１０３）。
対してユーザがアイコンＩをタッチしていない場合（ステップ１０２でＮｏ）、画像制御手段１３０は、バナーＶ（第２の画像）を表示する必要があるか否かを判断する（ステップ１０４）。バナーＶは、上述のように、ユーザに対し、注意喚起、警告、案内等を行なう場合に表示される。
【００３８】
そしてバナーＶを表示する必要がない場合（ステップ１０４でＮｏ）、ステップ１０２に戻る。
対してバナーＶを表示する必要がある場合（ステップ１０４でＹｅｓ）、画像制御手段１３０は、バナーＶを表示する操作パネル１５上の座標および大きさを算出する（ステップ１０５）。
次に画像制御手段１３０は、操作パネル１５上でホーム画面等の第１の画像が表示されている領域を算出する（ステップ１０６）。
【００３９】
そして画像制御手段１３０は、ホーム画面等の第１の画像で表示されているアイコンＩの中にワンタッチアプリが含まれるか否かを判断する（ステップ１０７）。
【００４０】
そしてワンタッチアプリが含まれない場合（ステップ１０７でＮｏ）、ステップ１１１に移行する。
対してワンタッチアプリが含まれる場合（ステップ１０７でＹｅｓ）、画像制御手段１３０は、最も下部にあるワンタッチアプリのアイコンＩが表示される座標を求める（ステップ１０８）。
次に画像制御手段１３０は、バナーＶと最も下部にあるワンタッチアプリのアイコンＩとの表示位置が重なるか否かを、ステップ１０５とステップ１０８で求めた座標を基に判断する（ステップ１０９）。
【００４１】
そしてバナーＶと最も下部にあるワンタッチアプリのアイコンＩとの表示位置が重ならない場合（ステップ１０９でＮｏ）、ステップ１１１に移行する。
対してバナーＶと最も下部にあるワンタッチアプリのアイコンＩとの表示位置が重なる場合（ステップ１０９でＹｅｓ）、画像制御手段１３０は、バナーＶと重ならない位置まで最も下部にあるワンタッチアプリのアイコンＩをスクロールさせ、アイコンＩの表示位置を移動させる。（ステップ１１０）。なおこのとき画像制御手段１３０は、このアイコンＩとともに同じ列および上部の列にあるアイコンＩも同様にスクロールさせる。
【００４２】
図６（ａ）〜（ｂ）は、アイコンＩをスクロールさせる前と後とを比較した図である。
このうち図６（ａ）は、アイコンＩをスクロールさせる前を示した図であり、図２と同様の図である。この状態のままバナーＶを表示させた場合、図３に示すようにワンタッチアプリのアイコンＩ（ワンタッチコピーのアイコン）とバナーＶとが重なる状態となる。
一方、図６（ｂ）は、アイコンＩをスクロールさせた後でバナーＶを表示した場合を示した図である。図示するようにワンタッチアプリのアイコンＩ（ワンタッチコピーのアイコン）を含むアイコンＩが上方に移動し、ワンタッチアプリのアイコンＩとバナーＶとが重ならない状態となる。
【００４３】
図５に戻り、画像制御手段１３０は、バナーＶを表示させる（ステップ１１１）。
【００４４】
次に画像制御手段１３０は、バナーＶを表示してから予め定められた時間が経過したか、またはユーザがバナーＶをタッチ（確認操作）したか否かを判断する（ステップ１１２）。
【００４５】
そして予め定められた時間が経過しておらず、かつユーザがバナーＶをタッチしていない場合（ステップ１１２でＮｏ）、ステップ１１２に戻る。
対して予め定められた時間が経過したか、またはユーザがバナーＶをタッチした場合（ステップ１１２でＹｅｓ）、画像制御手段１３０は、アニメーション動作によりバナーＶを非表示とする（ステップ１１３）。
【００４６】
次に画像制御手段１３０は、ステップ１０８におけるアイコンＩをスクロールさせる処理を行なったか否かを判断する（ステップ１１４）。
【００４７】
そしてアイコンＩをスクロールさせていた場合（ステップ１１４でＹｅｓ）、アイコンＩをスクロール前の表示位置まで戻す（ステップ１１５）。
そしてアイコンＩをスクロールさせていなかった場合（ステップ１１４でＮｏ）、およびステップ１１５の後は、ステップ１０２に戻る。
【００４８】
第１の実施形態によれば、バナーＶとワンタッチアプリのアイコンＩとが重畳状態となるときは、アイコンＩの方をスクロールさせることで、重畳状態を解消する。これによりユーザがバナーＶを選択しようとしてアイコンＩを選択してしまうことを抑制でき、画像形成装置１０が、ユーザの意図しない動作を行なうことを抑制できる。
【００４９】
［第２の実施形態］
第２の実施形態では、画像制御手段１３０は、アイコンＩを覆うようにバナー等の第２の画像を表示させることで、第２の画像の表示位置を変更する。
【００５０】
図７は、第２の実施形態における制御部１００の動作について説明したフローチャートである。
図７においてステップ２０１〜ステップ２０９は、図５のステップ１０１〜ステップ１０９と同様であるので、説明を省略する。なおステップ２０７でＮｏの場合は、ステップ２１１に移行する。
ステップ２１０以降の処理は、以下のようになる。
【００５１】
ステップ２０９において、バナーＶと最も下部にあるワンタッチアプリのアイコンＩとの表示位置が重なる場合（ステップ２０９でＹｅｓ）、画像制御手段１３０は、ワンタッチアプリのアイコンＩを覆うようにバナーＶを表示させる（ステップ２１０）。これによりユーザは、ワンタッチアプリのアイコンＩを選択することができなくなる。またこのとき画像制御手段１３０は、バナーＶを操作パネル１５の表示範囲の全体に表示させるようにすることが好ましい。
対してバナーＶと最も下部にあるワンタッチアプリのアイコンＩとの表示位置が重ならない場合（ステップ２０９でＮｏ）、通常の表示位置にバナーＶを表示する（ステップ２１１）。
【００５２】
またステップ２１２〜ステップ２１５は、図５のステップ１１２〜ステップ１１５と同様であるので、説明を省略する。
【００５３】
図８（ａ）〜（ｂ）は、図７のステップ２１１で、通常の表示位置にバナーＶを表示した場合と、図７のステップ２１０で、バナーＶを操作パネル１５の表示範囲の全体に表示させた場合とを比較した図である。
このうち図８（ａ）は、通常の表示位置にバナーＶを表示した場合である。なおここではワンタッチアプリのアイコンＩ（ワンタッチコピーのアイコン）の代わりにワンタッチアプリでないアイコンＩ（外部アクセスのアイコン）を表示した場合を示している。この場合、ワンタッチアプリのアイコンＩがないため、バナーＶは、最も下の列のアイコンＩに重ねて表示される。
一方、図８（ｂ）は、バナーＶを操作パネル１５の表示範囲の全体に表示させた場合である。図示するようにバナーＶは、アイコンＩ上を全て覆い、全てのアイコンＩは、バナーＶの下に隠れた状態となる。これによりユーザは、ワンタッチアプリのアイコンＩを選択することができない。
【００５４】
第２の実施形態によれば、バナーＶとワンタッチアプリのアイコンＩとが重畳状態となるときは、バナーＶの表示位置を変更することで、アイコンＩを選択できないようにする。これによりユーザがバナーＶを選択しようとしてアイコンＩを選択してしまうことを抑制でき、画像形成装置１０が、ユーザの意図しない動作を行なうことを抑制できる。
【００５５】
なお上述した例では、処理装置として画像形成装置１０を例に取り説明を行なったがこれに限られるものではない。即ち、表示手段をタッチ等することで入力を行なう装置であれば、本実施の形態の適用が可能である。例えば、アプリケーションソフトウェアのアイコンを並べて表示する携帯電話、スマートフォン、タブレットのような機器に対しても適用できる。
【００５６】
また上述した例では、第１の画像はホーム画面であったがこれに限られるものではないことはもちろんである。そして上述した例では、第２の画像は、バナーＶの画像であったが、これに限られるものではなく、例えば、ポップアップの画像などであってもよい。
【００５７】
さらに上述した例では、ワンタッチアプリのアイコンＩとバナーＶ等の第２の画像とが重畳状態になったときに選択の受け付けの方法を変更する処理を行なっていたが、これに限られるものではない。即ち、ワンタッチアプリでないアイコンＩとバナーＶ等の第２の画像とが重畳状態になったときに選択の受け付けの方法を変更する処理を行なってもよい。
【００５８】
またさらに上述した例では、アイコンＩとバナーＶの何れか一方の表示位置を変更したが、双方の表示位置を変更してもよい。
【符号の説明】
【００５９】
１０…画像形成装置、１５…操作パネル、１００…制御部、１１０…受付手段、１２０…実行手段、１３０…画像制御手段、１４０…出力手段
【図１】
2018045421.tif 000003
【図２】
2018045421.tif 000004
【図３】
2018045421.tif 000005
【図４】
2018045421.tif 000006
【図５】
2018045421.tif 000007
【図６】
2018045421.tif 000008
【図７】
2018045421.tif 000009
【図８】
2018045421.tif 000010